(57)【要約】  電力計測装置（１）によれば、三相４線電源に接続される負荷が誘導性であるか、容量性であるか、何れでもないか、言い換えれば、相電流（Ｉａ〜Ｉｃ）が相電圧（Ｖａ〜Ｖｃ）に対して、遅れ位相であるか、進み位相であるか、同相であるか、を設定位相関係記憶部に記憶して、この記憶した位相関係と求めた位相関係とが一致するかを判定する。よって、従来検証ができなかった誤接続を、具体的には、電圧端子（３ａ〜３ｄ）の接続が正しい状態でのカレントトランス（４ａ〜４ｃ）の電流変成器の一次導体の全ての逆付けを、誤配置として検出することができる。
2013061475.tif 000002
【特許請求の範囲】
【請求項１】
三相交流電源から供給された交流電力を送電する電力線に接続される端子により、前記電力線に印加される相毎の交流電圧を測定する電圧部と、
前記電圧部により測定された前記相毎の前記交流電圧から前記測定された交流電圧におけるベクトルの関係を求め、前記求めたベクトルの関係が、前記三相交流電源により前記電力線に印加されている交流電圧のベクトルの関係と一致する場合に適合の判定を行う電圧検証部と、
前記電力線の外周に配置される電流変成器により、前記電力線を流れる前記相毎の交流電流を測定する電流部と、
前記電流部により測定された前記相毎の前記交流電流および前記電圧部により測定された前記相毎の前記交流電圧から、前記交流電流と前記交流電圧との前記相毎の位相差を求めると共に、前記相毎の電力を求め、前記相毎の位相差が予め設定された規定範囲内であり、且つ、前記相毎の電力が正数である場合に適合の判定を行う電流検証部と、
前記電流部により測定された前記交流電流および前記電圧部により測定された前記交流電圧から、前記交流電流の前記交流電圧に対する位相の関係を前記相毎に求め、前記相毎に求めた前記位相の関係が予め設定された関係と一致する場合に適合の判定を行う位相関係検証部と、
前記電圧検証部、前記電流検証部および前記位相関係検証部による判定のうち、少なくとも一つが前記適合の判定でない場合に、前記端子の接続または前記電流変成器の配置が誤りであることを報知する報知部と、
を備えている判定装置。
【請求項２】
前記交流電流の前記交流電圧に対する前記位相の関係を、前記予め設定された関係として記憶する位相関係記憶部を備え、
前記位相関係検証部は、
前記相毎に求めた前記位相の関係と、前記位相関係記憶部に記憶された前記位相の関係とを比較して、前記求めた前記位相の関係が前記予め設定された関係と一致するかを判定する、
請求項１に記載の判定装置。
【請求項３】
前記位相関係記憶部は、
前記位相の関係として、前記交流電流が前記交流電圧に対して、進み位相であるか、遅れ位相であるか、同相であるかを記憶する、
請求項２に記載の判定装置。
【請求項４】
前記報知部は、
前記電圧検証部、前記電流検証部および前記位相関係検証部による判定が全て、前記適合の判定である場合に、前記電流検証部により求められた前記相毎の電力を報知する、
請求項１から３のいずれか一項に記載の判定装置。
【請求項５】
前記報知部は、
前記電圧検証部による判定が前記適合の判定でない場合に、前記端子の接続が誤っていることを報知する、
請求項１から４のいずれか一項に記載の判定装置。
【請求項６】
三相交流電源から供給された交流電力を送電する電力線に接続した端子を介して測定された相毎の交流電圧から前記測定された交流電圧におけるベクトルの関係を求め、前記求めたベクトルの関係が、前記三相交流電源により前記電力線に印加されている交流電圧のベクトルの関係と一致する場合に適合の判定を判定装置が行う電圧検証ステップと、
前記電力線の外周に配置された電流変成器を介して測定された前記相毎の交流電流および前記測定された前記相毎の交流電圧から、前記交流電流と前記交流電圧との前記相毎の位相差を求めると共に、前記相毎の電力を求め、前記相毎の位相差が予め設定された規定範囲内であり、且つ、前記相毎の電力が正数である場合に適合の判定を前記判定装置が行う電流検証ステップと、
前記測定された前記相毎の前記交流電流および前記測定された前記相毎の前記交流電圧から、前記交流電流の前記交流電圧に対する位相の関係を前記相毎に求め、前記相毎に求めた前記位相の関係が予め設定された関係と一致する場合に適合の判定を前記判定装置が行う位相関係検証ステップと、
前記電圧検証ステップ、前記電流検証ステップおよび前記位相関係検証ステップによる判定のうち、少なくとも一つが前記適合の判定でない場合に、前記端子の接続または前記電流変成器の配置が誤りであることを前記判定装置が報知する報知ステップと、
を備えている判定方法。
【請求項７】
コンピュータに、
三相交流電源から供給された交流電力を送電する電力線に接続した端子を介して測定された相毎の交流電圧から前記測定された交流電圧におけるベクトルの関係を求め、前記求めたベクトルの関係が、前記三相交流電源により前記電力線に印加されている交流電圧のベクトルの関係と一致する場合に適合の判定を行う電圧検証機能、
前記電力線の外周に配置された電流変成器を介して測定された前記相毎の交流電流および前記測定された前記相毎の交流電圧から、前記交流電流と前記交流電圧との前記相毎の位相差を求めると共に、前記相毎の電力を求め、前記相毎の位相差が予め設定された規定範囲内であり、且つ、前記相毎の電力が正数である場合に適合の判定を行う電流検証機能、
前記測定された前記相毎の前記交流電流および前記測定された前記相毎の前記交流電圧から、前記交流電流の前記交流電圧に対する位相の関係を前記相毎に求め、前記相毎に求めた前記位相の関係が予め設定された関係と一致する場合に適合の判定を行う位相関係検証機能、
前記電圧検証機能、前記電流検証機能および前記位相関係検証機能による判定のうち、少なくとも一つが前記適合の判定でない場合に、前記端子の接続または前記電流変成器の配置が誤りであることを報知する報知機能、
を実現させるプログラム。
【発明の詳細な説明】
【技術分野】
【０００１】
本発明は、判定装置、判定方法、およびプログラムに関する。
【背景技術】
【０００２】
三相交流電源から電力線を介して供給される交流電力を計測する場合に、交流電圧の計測のために電力線に接続される端子と、交流電流の計測のために電力線の外周に配置される電流変成器との、誤った接続・配置を検出する装置として、特許文献１に記載の結線状態検出装置が知られている。【０００３】
この特許文献１に記載の結線状態検出装置は、電力線に端子を接続して測定された相毎の交流電圧から、相毎の交流電圧の実効値が所定の範囲内であるかと、相順が予め定めた順であるかと、を判定する。また、結線状態検出装置は、電力線の外周に電流変成器を配置して測定された相毎の交流電流および端子を接続して測定された相毎の交流電圧から、交流電流と交流電圧との相毎の位相差が予め定められた範囲内であるかと、交流電流または交流電圧が無入力であるかと、を判定する。【０００４】
これにより、結線状態検出装置は、次のいずれかの場合、即ち、相毎の実効値が所定の範囲を外れている場合、相順が予め定めた順と異なる場合、交流電流と交流電圧との相毎の位相差が予め定められた範囲を外れている場合、交流電流または交流電圧が無入力である場合のいずれかの場合に、端子の接続または電流変成器の配置が誤りであることを検出する。
【先行技術文献】
【特許文献】
【０００５】
【特許文献１】特開２０００−２５８４８４号公報
【発明の概要】
【発明が解決しようとする課題】
【０００６】
特許文献１に記載の結線状態検出装置で使用される電流変成器の一次導体（一次側）は、電力線を流れる電流に対して正しい向きに配置する必要がある。これは、電力線を流れる電流に対して逆向きに電流変成器の一次導体を配置すると、測定された交流電流が、電流変成器の一次導体を正しい向きに配置した場合に測定される交流電流に対して、逆相となるからである。よって、電力線の外周に配置される各電流変成器の一次導体が全て逆向き、即ち、誤った向きに配置された場合、全ての相の交流電流が、正しい向きの場合の交流電流に対して、逆相となる。このとき、端子が全て正しく電力線に接続されていれば、三相交流電源に接続される負荷の力率によっては、交流電流と交流電圧との相毎の位相差が予め定められた範囲内となる場合がある。この場合、結線状態検出装置は、交流電流と交流電圧との相毎の位相差が予め定められた範囲内であると判定する。更には、結線状態検出装置は、端子が全て正しく接続されていることから、他の判定（相毎の実効値が所定の範囲内か、相順が予め定めた順か、交流電流または交流電圧が無入力であるか）も全て問題ないと判定する。【０００７】
このように、特許文献１に記載の結線状態検出装置では、誤りが発生しても誤りと検出しない、つまり、誤り検出の精度が低いという問題点があった。【０００８】
本発明は、上記実情に鑑みてなされたものであり、高い誤り検出精度を実現することができる判定装置、判定方法、およびプログラムを提供することを目的とする。
【課題を解決するための手段】
【０００９】
上記目的を達成するために、本発明に係る判定装置の電圧部は、三相交流電源から供給された交流電力を送電する電力線に接続される端子により、電力線に印加される相毎の交流電圧を測定する。電圧検証部は、電圧部により測定された相毎の交流電圧から測定された交流電圧におけるベクトルの関係を求め、求めたベクトルの関係が、三相交流電源により電力線に印加されている交流電圧のベクトルの関係と一致する場合に適合の判定を行う。電流部は、電力線の外周に配置される電流変成器により、電力線を流れる相毎の交流電流を測定する。電流検証部は、電流部により測定された相毎の交流電流および電圧部により測定された相毎の交流電圧から、交流電流と交流電圧との相毎の位相差を求めると共に、相毎の電力を求め、相毎の位相差が予め設定された規定範囲内であり、且つ、相毎の電力が正数である場合に適合の判定を行う。位相関係検証部は、電流部により測定された交流電流および電圧部により測定された交流電圧から、交流電流の交流電圧に対する位相の関係を相毎に求め、相毎に求めた位相の関係が予め設定された関係と一致する場合に適合の判定を行う。報知部は、電圧検証部、電流検証部および位相関係検証部による判定のうち、少なくとも一つが適合の判定でない場合に、端子の接続または電流変成器の配置が誤りであることを報知する。
【発明の効果】
【００１０】
本発明によれば、交流電流の交流電圧に対する位相の関係を求め、求めた位相の関係が予め設定された関係と一致するかを判定するので、従来と比較して、高い誤り検出精度を実現することができる。
【図面の簡単な説明】
【００１１】
【図１】本発明の実施形態に係る電力計測装置のブロック図である。
【図２】電力計測装置の記憶部の構成を示す図である。
【図３】電力計測装置の演算制御部で実行される設定処理のフローチャートである。
【図４】電力計測装置の演算制御部で実行される接続検出処理のフローチャートである。
【図５】電力計測装置の演算制御部で実行される電圧端子検証処理のフローチャートである。
【図６】電力計測装置の演算制御部で実行されるカレントトランス検証処理のフローチャートである。
【図７】電力計測装置の電圧端子の接続を示す図である。
【図８】電力計測装置のカレントトランスの配置を示す図である（電圧端子の接続が正しい場合）。
【図９】電力計測装置のカレントトランスの配置を示す図である（電圧端子の接続が誤っている場合）。
【発明を実施するための形態】
【００１２】
以下、本発明の実施形態に係る電力計測装置１を、図面を参照して説明する。この電力計測装置１は、電圧端子３ａ〜３ｄの誤接続およびカレントトランス４ａ〜４ｃの誤配置を、従来と比較して、高い精度で検出することができる。
【００１３】
電力計測装置１は、図１に示すように、Ｙ結線の三相４線式電源に電気的に接続された電力線２ａ〜２ｄを用いて供給される交流電力を計測する装置である。なお、Ｌ１〜Ｌ３電力線２ａ〜２ｃを用いて供給される交流電圧に対して基準となる電圧が印加される電力線（電力計測装置１のグランドに接地された電力線）を、Ｎ電力線２ｄとしている。
【００１４】
電力計測装置１は、電圧端子３ａ〜３ｄと、カレントトランス４ａ〜４ｃと、電源部５と、電圧部６と、電流部７と、コンパレータ８ａ，８ｂと、Ａ／Ｄ変換部９と、演算制御部１０と、報知部１１と、記憶部１２と、操作部１３と、を備えている。
【００１５】
電圧端子３ａ〜３ｄは、三相４線式電源から供給された交流電力を送電するＬ１〜Ｌ３電力線２ａ〜２ｃに印加される相毎の交流電圧、即ち、相電圧Ｖａ〜Ｖｃの測定に用いる。電圧端子３ａ〜３ｃは、それぞれ、Ｌ１〜Ｌ３電力線２ａ〜２ｃに電気的に接続され、電力端子３ｄは、Ｎ電力線２ｄに電気的に接続される。電圧端子３ａ〜３ｄを電力線２ａ〜２ｄに電気的に接続することで、電力計測装置１は、相電圧Ｖａ〜Ｖｃを測定する。具体的には、電力計測装置１は、電圧端子３ｄを基準として、電圧端子３ａとの間で相電圧Ｖａを測定し、電圧端子３ｂとの間で相電圧Ｖｂを測定し、電圧端子３ｃとの間で相電圧Ｖｃを測定する。
【００１６】
カレントトランス４ａ〜４ｃは、一次導体および二次導体を有する環状の電流変成器を有し、Ｌ１〜Ｌ３電力線２ａ〜２ｃを流れる相毎の交流電流、即ち、相電流Ｉａ〜Ｉｃに応じた電圧を一次導体（一次側）で発生させ、発生させた電圧に比例する電圧を二次導体（二次側）で発生させる。カレントトランス４ａ〜４ｃは、それぞれ、Ｌ１〜Ｌ３電力線２ａ〜２ｃの外周を、環状の電流変成器で囲む状態で配置される。カレントトランス４ａ〜４ｃをＬ１〜Ｌ３電力線２ａ〜２ｃの外周に配置することで、電力計測装置１は、二次導体で発生した電圧から、相電流Ｉａ〜Ｉｃを測定する。具体的には、電力計測装置１は、カレントトランス４ａを用いてＬ１電力線２ａを流れる相電流Ｉａを測定し、カレントトランス４ｂを用いてＬ２電力線２ｂを流れる相電流Ｉｂを測定し、カレントトランス４ｃを用いてＬ３電力線２ｃを流れる相電流Ｉｃを測定する。
【００１７】
なお、相電流Ｉａ〜Ｉｃの測定には、カレントトランス４ａ〜４ｃの電流変成器の一次導体を、相電流Ｉａ〜Ｉｃに対して正しい向きに配置する必要がある。これは、カレントトランス４ａ〜４ｃの電流変成器の一次導体を、相電流Ｉａ〜Ｉｃに対して逆向きに配置した場合、正しい向きの場合の交流電流に対して、逆相となり、電力計測装置１が、電力を正しく計測することができないためである。
【００１８】
電源部５は、三相４線式電源から供給される交流電力を用いて直流電力を生成し、生成した直流電力を各部６〜１３へ供給する。電源部５は、２つの入力端子のうち、一方がＬ１電力線２ａに電気的に接続され、他方がＮ電力線２ｄ（グランド）に電気的に接続される。この入力端子の接続により、電源部５は、入力した相電圧Ｖａおよび相電流Ｉａを、例えばダイオードを用いて整流し、直流電力を生成する。なお、電源部５が、生成した直流電力を各部６〜１３へ供給する供給線は、図示を省略している。
【００１９】
電圧部６は、相電圧Ｖａ〜Ｖｃを測定し、測定した相電圧Ｖａ〜Ｖｃを分圧して、コンパレータ８ａおよびＡ／Ｄ変換部９へ出力する。電圧部６は、４つの入力端子を有し、それぞれ、電圧端子３ａ〜３ｄに電気的に接続される。この４つの入力端子を用いて、電圧部６は、相電圧Ｖａ〜Ｖｃを測定する。また、電圧部６は、３つの出力端子を有し、それぞれ、コンパレータ８ａおよびＡ／Ｄ変換部９に電気的に接続される。電圧部６は、測定した相電圧Ｖａ〜Ｖｃを分圧した分圧電圧Ｖａｄ〜Ｖｃｄを、３つの出力端子を用いて、コンパレータ８ａおよびＡ／Ｄ変換部９へ出力する。
【００２０】
電流部７は、Ｌ１〜Ｌ３電力線２ａ〜２ｃを流れる相電流Ｉａ〜Ｉｃに応じてカレントトランス４ａ〜４ｃ（電流変成器の二次導体）で発生した電圧を分圧し、コンパレータ８ｂおよびＡ／Ｄ変換部９へ出力する。電流部７は、３つの入力端子を有し、それぞれ、カレントトランス４ａ〜４ｃ（電流変成器の二次導体）に電気的に接続される。３つの入力端子を用いて、電流部７は、相電流Ｉａ〜Ｉｃを測定する。また、電流部７は、３つの出力端子を有し、それぞれ、コンパレータ８ｂおよびＡ／Ｄ変換部９に電気的に接続される。電流部７は、カレントトランス４ａ〜４ｃ（電流変成器の二次導体）で相電流Ｉａ〜Ｉｃに応じて発生した電圧を、例えば抵抗を用いて分圧し、変換電圧Ｖｉａ〜Ｖｉｃとして、３つの出力端子を用いて、コンパレータ８ｂおよびＡ／Ｄ変換部９へ出力する。
【００２１】
コンパレータ８ａは、３つの入力端子が電圧部６の３つ出力端子にそれぞれ電気的に接続され、３つの出力端子が演算制御部１０に接続される。コンパレータ８ａは、電圧部６から出力された分圧電圧Ｖａｄ〜Ｖｃｄとグランド電圧とを比較し、分圧電圧が正極性である場合には正の直流電圧を演算制御部１０へ、分圧電圧Ｖａｄ〜Ｖｃｄ毎に（相毎に）出力し、分圧電圧が負極性である場合にはゼロの電圧を演算制御部１０へ、分圧電圧Ｖａｄ〜Ｖｃｄ毎に出力する。
【００２２】
コンパレータ８ｂは、３つの入力端子が電流部７の３つの出力端子にそれぞれ電気的に接続され、３つの出力端子が演算制御部１０に接続される。コンパレータ８ｂは、電流部７から出力された変換電圧Ｖｉａ〜Ｖｉｃとグランド電圧とを比較し、変換電圧が正極性である場合には正の直流電圧を演算制御部１０へ、変換電圧Ｖｉａ〜Ｖｉｃ毎に（相毎に）出力し、分圧電圧が負極性である場合にはゼロの電圧を演算制御部１０へ、変換電圧Ｖｉａ〜Ｖｉｃ毎に出力する。
【００２３】
なお、コンパレータ８ａおよびコンパレータ８ｂは、それぞれ、入力端子から入力される電圧波形の歪を抑制するため、入力端子の後段にローパスフィルタ（不図示）を有している。
【００２４】
Ａ／Ｄ変換部９は、６つの入力端子が、電圧部６の３つの出力端子および電流部７の３つの出力端子にそれぞれ接続され、６つの出力端子が、演算制御部１０に接続される。Ａ／Ｄ変換部９は、電圧部６から出力される分圧電圧Ｖａｄ〜Ｖｃｄ（瞬時値）および電流部７から出力される変換電圧Ｖｉａ〜Ｖｉｃ（瞬時値）を、アナログ値からデジタル値に変換し、それぞれ、演算制御部１０へ出力する。
【００２５】
なお、分圧電圧Ｖａｄ〜Ｖｃｄおよび変換電圧Ｖｉａ〜Ｖｉｃを、Ａ／Ｄ変換部９で、アナログ値からデジタル値へ変換するサンプリングは、演算制御部１０からＡ／Ｄ変換部９へ出力されるトリガ信号により制御される。なお、カレントトランス４ａ〜４ｃの電流変成器による影響により、相電流Ｉａ〜Ｉｃが、相電圧Ｖａ〜Ｖｃに対して進み位相となることから、Ａ／Ｄ変換部９は、この進み位相分だけ、変換電圧Ｖｉａ〜Ｖｉｃのサンプリングを、分圧電圧Ｖａｄ〜Ｖｃｄのサンプリングよりも、早くしている。サンプリング後の（デジタル信号となった）分圧電圧Ｖａｄ〜Ｖｃｄおよび変換電圧Ｖｉａ〜Ｖｉｃは、Ａ／Ｄ変換部９から出力され、演算制御部１０のＲＡＭに記憶される。
【００２６】
演算制御部１０は、ＣＰＵ（Central Processing Unit）や、ＲＯＭ（Read Only Memory）、ＲＡＭ（Random Access Memory）を備え（いずれも不図示）、１４個の入力端子が、コンパレータ８ａ，８ｂ、Ａ／Ｄ変換部９、記憶部１２および操作部１３にそれぞれ接続され、２つの出力端子が報知部１１および記憶部１２に接続される。
【００２７】
演算制御部１０は、コンパレータ８ａから出力された直流電圧を、出力された時刻と対応付けて、制御演算部１０内のＲＡＭ（不図示）に記憶する。このＲＡＭに記憶された情報から、具体的には、正の直流電圧からゼロの電圧になった時刻およびゼロの直流電圧から正の直流電圧になった時刻から、演算制御部１０は、相電圧Ｖａ〜Ｖｃがゼロとなった時刻（ゼロクロスの時刻）を求める。
【００２８】
演算制御部１０は、コンパレータ８ｂから出力された直流電圧を、出力された時刻と対応付けて、制御演算部１０内のＲＡＭ（不図示）に記憶する。このＲＡＭに記憶された情報から、具体的には、正の直流電圧からゼロの電圧になった時刻およびゼロの直流電圧から正の直流電圧になった時刻から、演算制御部１０は、相電流Ｉａ〜Ｉｃがゼロとなった時刻（ゼロクロスの時刻）を求める。
【００２９】
ＲＡＭ（不図示）には、コンパレータ８ａ，８ｂのそれぞれから出力された相毎の直流電圧と時刻とが演算制御部１０により対応付けられた情報に加え、Ａ／Ｄ変換部９から出力された分圧電圧Ｖａｄ〜Ｖｃｄおよび変換電圧Ｖｉａ〜Ｖｉｃが、一時的に記憶される。
【００３０】
演算制御部１０は、ＲＯＭ（不図示）に記憶されるプログラムを実行することで、電圧検証部１０１と、電流検証部１０２と、位相関係検証部１０３と、の機能を実現する。
【００３１】
電圧検証部１０１は、Ａ／Ｄ変換部９から出力される分圧電圧Ｖａｄ〜Ｖｃｄ（相電圧Ｖａ〜Ｖｃに対応）から、相電圧Ｖａ〜Ｖｃの実効値を求め、求めた実効値が、許容される範囲内であるかを判定する。
【００３２】
また、電圧検証部１０１は、ＲＡＭ（不図示）に記憶された情報、即ち、コンパレータ８ａから出力される相毎の直流電圧と時刻とが対応付けられた情報とから、相電圧Ｖａ〜Ｖｃのゼロクロスの時刻を求める。これにより、相電圧Ｖａ，Ｖｂ，Ｖｃの相順（相電圧がゼロボルトとなる順）を求め、求めた相順が予め設定され順であるかを判定する。
【００３３】
つまり、電圧検証部１０１は、Ａ／Ｄ変換部９から出力される分圧電圧Ｖａｄ〜Ｖｃｄ（相電圧Ｖａ〜Ｖｃに対応）から、測定された交流電圧におけるベクトルの関係（相電圧Ｖａ〜Ｖｃにおける実効値および相順の関係）を求め、その求めたベクトルの関係が、三相交流電源により電力線３ａ〜３ｃに印加されている交流電圧（相電圧Ｖａ〜Ｖｃ）のベクトルの関係と一致するか否かを、実効値および相順を用いて判定している。
【００３４】
電流検証部１０２は、ＲＡＭ（不図示）に記憶された情報、即ち、コンパレータ８ａから出力される相毎の直流電圧と時刻とが対応付けられた情報と、コンパレータ８ｂから出力される相毎の直流電圧と時刻とが対応付けられた情報とから、相電流Ｉａ〜Ｉｃと相電圧Ｖａ〜Ｖｃとの位相差（０度〜１８０度）を相毎に求め、求めた位相差が、予め設定された範囲内であるかを判定する。なお、カレントトランス４ａ〜４ｃの電流変成器による影響により、相電流Ｉａ〜Ｉｃが、相電圧Ｖａ〜Ｖｃに対して進み位相となることから、電流検証部１０２は、この進み位相分だけ、相電流Ｉａ〜Ｉｃのゼロクロスの時刻を、相電圧Ｖａ〜Ｖｃのゼロクロスの時刻よりも、早い時刻としている。
【００３５】
更に、電流検証部１０２は、Ａ／Ｄ変換部９から出力される分圧電圧Ｖａｄ〜Ｖｃｄ（相電圧Ｖａ〜Ｖｃに対応）および変換電圧Ｖｉａ〜Ｖｉｃ（相電流Ｉａ〜Ｉｃに対応）を用いて、Ｌ１〜Ｌ３電力線２ａ〜２ｃを用いて供給された各相における電力（相電力）Ｐａ〜Ｐｃを算出し、算出した相電力Ｐａ〜Ｐｃが正数であるかを（ゼロでないかを）判定する。
【００３６】
位相関係検証部１０３は、相電流Ｉａ〜Ｉｃおよび相電圧Ｖａ〜Ｖｃのゼロクロスを求めた時刻により、相電流Ｉａ〜Ｉｃが、相電圧Ｖａ〜Ｖｃに対して、進み位相か、遅れ位相か、同相かの位相関係（相電流Ｉａ〜Ｉｃの相電圧Ｖａ〜Ｖｃ対する位相関係）を、相毎に求め、求めた位相関係が、予め設定された位相関係と一致するか判定する。
【００３７】
演算制御部１０は、電圧検証部１０１と、電流検証部１０２と、位相関係検証部１０３との判定結果を用いて、電圧端子３ａ〜３ｄが電力線２ａ〜２ｄに正しく接続されているか、カレントトランス４ａ〜４ｃが電力線２ａ〜２ｃに正しく配置されているか、を判定する。演算制御部１０は、正しい接続および正しい配置であると判定すると、相電力Ｐａ〜Ｐｃを、報知部１１を用いて報知する。
【００３８】
報知部１１は、例えば、液晶ディスプレイであり、電圧端子３ａ〜３ｄおよびカレントトランス４ａ〜４ｃが誤った配置である場合（具体的には、電圧検証部１０１、電流検証部１０２、位相関係検証部１０３による判定のうち、少なくとも一つが誤りを示す判定である場合）、誤接続や誤配置を表示して報知する。また、報知部１１は、電圧端子３ａ〜３ｄおよびカレントトランス４ａ〜４ｃが正しく配置されている場合、算出した相電力Ｐａ〜Ｐｃを表示して報知する。
【００３９】
記憶部１２は、電圧端子３ａ〜３ｄが電力線２ａ〜２ｄに正しく接続されているか、およびカレントトランス４ａ〜４ｃの電流変成器の一次導線の向きが電力線２ａ〜２ｃに正しく配置されているかを、演算制御部１０で判定するのに必要となる情報を記憶する。
【００４０】
記憶部１２は、フラッシュメモリにより構成され、図２に示すように、算出電圧記憶部１２１と、相順記憶部１２２と、算出位相差記憶部１２３と、算出電力記憶部１２４と、位相関係記憶部１２５と、許容電圧記憶部１２６と、設定相順記憶部１２７と、許容位相差記憶部１２８と、設定位相関係記憶部１２９と、を備えている。
【００４１】
算出電圧記憶部１２１は、電圧検証部１０１で算出された相電圧Ｖａ〜Ｖｃの実効値を、相毎に記憶する。
【００４２】
相順記憶部１２２は、電圧検証部１０１で求めた相電圧Ｖａ，Ｖｂ，Ｖｃの相順を記憶する。
【００４３】
算出位相差記憶部１２３は、電流検証部１０２で算出された相電流Ｉａ〜Ｉｃと相電圧Ｖａ〜Ｖｃとの位相差を、相毎に記憶する。
【００４４】
算出電力記憶部１２４は、電流検証部１０２で算出された相電力Ｐａ〜Ｐｃを、相毎に記憶する。
【００４５】
位相関係記憶部１２５は、位相関係検証部１０３で求められた位相関係を、具体的には、相電流Ｉａ〜Ｉｃが相電圧Ｖａ〜Ｖｃに対して、進み位相か、遅れ位相か、同相かを、相毎に記憶する。
【００４６】
許容電圧記憶部１２６は、相電圧Ｖａ〜Ｖｃの許容される実効値の範囲（以後、「許容実効値」と称する）を記憶する。なお、許容実行値は、操作部１３を用いて、例えば、「算出電圧記憶部１２１に記憶された相電圧Ｖａ〜Ｖｃの±２０％の範囲」といった内容が設定される。
【００４７】
設定相順記憶部１２７は、相順記憶部１２２に記憶された相電圧Ｖａ，Ｖｂ，Ｖｃの相順が正しい順であるか（設定された相順であるか）否かを、電圧検証部１０１が判定するために用いる、設定相順を記憶する。なお、設定相順は、操作部１３を用いて、例えば、「相電圧Ｖａ→相電圧Ｖｂ→相電圧Ｖｃの順」といった内容が設定される。
【００４８】
許容位相差記憶部１２８は、相電流Ｉａ〜Ｉｃと相電圧Ｖａ〜Ｖｃとの各相における位相差の許容範囲（以後、「許容位相差」と称する）を、０度〜１８０度の範囲で相毎に記憶する。なお、許容位相差は、操作部１３を用いて、例えば、「相電流Ｉａ〜Ｉｃと、対応する各相電圧Ｖａ〜Ｖｃと、の位相差は、全ての相において０度〜６０度の範囲」といった内容が設定される。
【００４９】
設定位相関係記憶部１２９は、相毎の位相関係（相電流Ｉａ〜Ｉｃが相電圧Ｖａ〜Ｖｃに対して、進み位相か、遅れ位相か、同相かの位相関係）が正しい関係にあるか（設定した関係にあるか）否かを、位相関係検証部１０３が判定するために用いる、相毎の位相関係を記憶する。
【００５０】
なお、相電流Ｉａ〜Ｉｃが相電圧Ｖａ〜Ｖｃに対して、進み位相となるか、遅れ位相となるか、同相となるかは、三相４線電源に接続される負荷によって変わる。負荷が誘導性である場合、相電流Ｉａ〜Ｉｃが相電圧Ｖａ〜Ｖｃに対して、進み位相となり、負荷が容量性である場合、相電流Ｉａ〜Ｉｃが相電圧Ｖａ〜Ｖｃに対して、遅れ位相となる。また、負荷が、誘導性でも容量性でもない場合、相電流Ｉａ〜Ｉｃが相電圧Ｖａ〜Ｖｃに対して、同相となる。三相４線電源に接続される負荷が誘導性であるか、容量性であるか、その何れでもないかを予め調べておくことで、操作部１３を用いて、例えば、「相電流Ｉａ〜Ｉｃのそれぞれは、対応する各相電圧Ｖａ〜Ｖｃに対して、遅れ位相となる」といった相毎の位相関係を設定できる。
【００５１】
図１に示す操作部１３は、例えば、キーボードを有し、記憶部１２に記憶させる各種情報の設定に用いられる。
【００５２】
次に、電力測定装置１の演算制御部１０で実行される設定処理を、図３を参照して説明する。この設定処理は、電力計測装置１の電源が投入され、操作部１３により設定実行の操作が行われた場合に開始される。
【００５３】
設定処理では、まず、演算制御部１０は、許容実効値（許容される相電圧Ｖａ〜Ｖｃの実効値の範囲）、相電圧Ｖａ〜Ｖｃの相順、許容位相差（許容される位相差の範囲）および位相関係（相電流Ｉａ〜Ｉｃが相電圧Ｖａ〜Ｖｃに対して、進み位相か、遅れ位相か、同相か）の操作部１３を用いた設定受付を行う（ステップＳ１）。
【００５４】
その後、演算制御部１０は、設定受付が完了していないと判定すると（ステップＳ２：Ｎｏ）、ステップＳ１へ戻る。一方、演算制御部１０は、設定受付が完了したと判定すると（ステップＳ２：Ｙｅｓ）、設定された許容実効値を許容電圧記憶部１２６に記憶し、設定された相順を設定相順記憶部１２７に記憶し、設定された許容位相差を許容位相差記憶部１２８に記憶し、設定された位相関係を設定位相関係記憶部１２９に記憶して（ステップＳ３）、この設定処理を終了する。
【００５５】
次に、電力計測装置１の演算制御部１０で実行される接続検出処理を、図４を参照して説明する。この接続検出処理は、電力計測装置１の電源が投入され、操作部１３により実行の操作が行われた場合に開始される。演算制御部１０は、この接続検出処理で、電圧端子３ａ〜３ｄの接続およびカレントトランス４ａ〜４ｃの配置を検証する。
【００５６】
接続検出処理では、まず、演算制御部１０（電圧検証部１０１）は、相電圧Ｖａ，Ｖｂ，Ｖｃの実効値を算出し、算出した実行値を算出電圧記憶部１２１に記憶する（ステップＳ４）。
【００５７】
電圧検証部１０１による相電圧Ｖａ〜Ｖｃの実効値の算出法は、次の通りである。まず、電圧検証部１０１は、ＲＡＭ（不図示）に記憶された分圧電圧Ｖａｄ〜Ｖｃｄ（サンプリングのタイミング毎の瞬時値）を用いて、分圧電圧Ｖａｄ，Ｖｂｄ，Ｖｃｄの各最大値を求める。そして、演算制御部１０は、ＲＯＭ（不図示）に予め記憶されている変換テーブル（分圧電圧Ｖａｄ，Ｖｂｄ，Ｖｃｄの各最大値を相電圧Ｖａ，Ｖｂ，Ｖｃの実効値に変換するテーブル）を用いて、求めた分圧電圧Ｖａｄ，Ｖｂｄ，Ｖｃｄの各最大値から、相電圧Ｖａ，Ｖｂ，Ｖｃの実効値を求める。このようにして、電圧検証部１０１は、相電圧Ｖａ〜Ｖｃの実効値を算出する。
【００５８】
次に、演算制御部１０（電圧検証部１０１）は、相電圧Ｖａ，Ｖｂ，Ｖｃの相順（相電圧がゼロボルトとなる順）を求め、求めた相順を相順記憶部１２２に記憶する（ステップＳ５）。
【００５９】
電圧検証部１０１による相順の求め方は、次の通りである。電圧検証部１０１は、ＲＡＭ（不図示）に記憶された情報、即ち、コンパレータ８ａから出力される相毎の直流電圧と時刻とが対応付けられた情報とから、相電圧Ｖａ〜Ｖｃのゼロクロスの時刻を求める。そして、電圧検証部１０１は、相電圧Ｖａ〜Ｖｃのゼロクロスの時刻を比較して、相電圧Ｖａ，Ｖｂ，Ｖｃの相順（相電圧がゼロボルトとなる順）を求める。
【００６０】
次に、演算制御部１０（電流検証部１０２）は、相電流Ｉａ〜Ｉｃと相電圧Ｖａ〜Ｖｃとの位相差を相毎に算出し、算出した位相差を相毎に算出位相差記憶部１２３に記憶する（ステップＳ６）。
【００６１】
電流検証部１０２による位相差の算出法は、次の通りである。電流検証部１０２は、ＲＡＭ（不図示）に記憶された情報、即ち、コンパレータ８ａから出力される相毎の直流電圧と時刻とが対応付けられた情報と、コンパレータ８ｂから出力される相毎の直流電圧と時刻とが対応付けられた情報とから、相電圧Ｖａ〜Ｖｃのゼロクロスの時刻と、相電流Ｉａ〜Ｉｃのゼロクロスの時刻と、を求める。相電流Ｉａ〜Ｉｃおよび相電圧Ｖａ〜Ｖｃのゼロクロスの時刻により、電流検証部１０２は、相電流Ｉａ〜Ｉｃと相電圧Ｖａ〜Ｖｃとの位相差（０度〜１８０度）を相毎に算出する。
【００６２】
次に、演算制御部１０（電流検証部１０２）は、相電力Ｐａ〜Ｐｃを算出し、算出した相電力Ｐａ〜Ｐｃを算出電力記憶部１２４に記憶する（ステップＳ７）。
【００６３】
電流検証部１０２による相電力Ｐａ〜Ｐｃの算出法は次の通りである。まず、電流検証部１０２は、ＲＯＭ（不図示）に予め記憶されている変換テーブル、具体的には、分圧電圧Ｖａｄ〜Ｖｃｄ（サンプリングのタイミング毎の瞬時値）を相電圧Ｖａ〜Ｖｃの瞬時値に変換するテーブル、を用いて、ＲＡＭ（不図示）に記憶された分圧電圧Ｖａｄ〜Ｖｃｄ（サンプリングのタイミング毎の瞬時値）を、相電圧Ｖａ〜Ｖｃの瞬時値に変換する。同様に、電流検証部１０２は、ＲＯＭ（不図示）に予め記憶されている変換テーブル、具体的には、変換電圧Ｖｉａ〜Ｖｉｃ（サンプリングのタイミング毎の瞬時値）を相電流Ｉａ〜Ｉｃの瞬時値に変換するテーブル、を用いて、ＲＡＭ（不図示）に記憶された変換電圧Ｖｉａ〜Ｖｉｃ（サンプリングのタイミング毎の瞬時値）を、相電流Ｉａ〜Ｉｃの瞬時値に変換する。そして、電流検証部１０２は、変換テーブルを用いて求めた相電圧Ｖａ〜Ｖｃおよび相電流Ｉａ〜Ｉｃの積算を、相電圧Ｖａ〜Ｖｃの１周期分に亘って積分することで、相電力Ｐａ〜Ｐｃを算出する。
【００６４】
次に、演算制御部１０（位相関係検証部１０３）は、相電流Ｉａ〜Ｉｃが、相電圧Ｖａ〜Ｖｃに対して、進み位相か、遅れ位相か、同相かの位相関係（相電流Ｉａ〜Ｉｃの相電圧Ｖａ〜Ｖｃ対する位相関係）を、相毎に求め、求めた位相関係を相毎に位相関係記憶部１２５に記憶する（ステップＳ８）。
【００６５】
位相関係検証部１０３による相毎の位相関係の求め方は次の通りである。まず、位相関係検証部１０３は、ＲＡＭ（不図示）に記憶された情報、即ち、コンパレータ８ａの出力電圧と時刻とが対応付けられた情報およびコンパレータ８ｂの出力電圧と時刻とが対応付けられた情報から、分圧電圧Ｖａｄ（相電圧Ｖａに対応）が正の直流電圧からゼロの電圧へ変化した時刻（ゼロクロスの時刻）および変換電圧Ｖｉｃ（相電流Ｉａに対応）が正の直流電圧からゼロの電圧へ変化した時刻（ゼロクロスの時刻）を読み出す。そして、位相関係検証部１０３は、相電圧Ｖａと相電流Ｉａとのゼロクロスの時刻を比較して、相電流Ｉａが、相電圧Ｖａに対して、進み位相か、遅れ位相か、同相かの位相関係を求める。同様に、位相関係検証部１０３は、相電流Ｉｂと相電圧Ｖｂとの位相関係および相電流Ｉｃと相電圧Ｖｃとの位相関係も求める。このようにして、位相関係検証部１０３は、相電流Ｉａ〜Ｉｃの相電圧Ｖａ〜Ｖｃ対する位相関係を相毎に求める。
【００６６】
ステップＳ８実行後、演算制御部１０は、ステップＳ９へ移行する。
【００６７】
ステップＳ９で実行される電圧端子検証処理を、図５を参照して説明する。なお、電圧端子検証処理は、電圧端子３ａ〜３ｄが電力線２ａ〜２ｄに正しく接続されているかを検証する処理である。
【００６８】
電圧端子検証処理では、演算制御部１０（電圧検証部１０１）は、算出電圧記憶部１２１に記憶された相電圧Ｖａ〜Ｖｃの各実効値を読み出し（ステップＳ１１）、読み出した各実効値が、許容電圧記憶部１２６に記憶された許容実効値の範囲内にあるか否かを判定する（ステップＳ１２）。
【００６９】
演算制御部１０（電圧検証部１０１）は、各実効値が、全て、許容実効値の範囲内であると判定すると（ステップＳ１２：Ｙｅｓ）、相順記憶部１２２に記憶された相順（演算制御部１０が求めた相電圧Ｖａ〜Ｖｃの相順）を読み出し（ステップＳ１３）、読み出した相順が、設定相順記憶部１２７に記憶された設定相順通りであるか否かを判定する（ステップＳ１４）。
【００７０】
演算制御部１０（電圧検証部１０１）は、相順が、設定相順記憶部１２７に記憶された相順通りであると判定すると（ステップＳ１４：Ｙｅｓ）、電圧端子３ａ〜３ｄが、それぞれ、電力線２ａ〜２ｄに正しく接続されていることから、ステップＳ５のカレントトランス検証処理へ移行する。
【００７１】
一方、ステップＳ１４で、演算制御部１０（電圧検証部１０１）は、相順が、設定相順記憶部１２７に記憶された相順と異なると判定すると（ステップＳ１４：Ｎｏ）、電圧端子３ａ〜３ｄのいずれかの接続が誤っていることから、ステップＳ１５へ移行する。
【００７２】
演算制御部１０は、電圧端子３ａ〜３ｄのいずれかの接続が誤っていることを伝えるメッセージを報知部１１に表示して（ステップＳ１５）、この接続検出処理を終了する。
【００７３】
一方、ステップＳ１２で、演算制御部１０（電圧検証部１０１）は、各実効値のうち、許容実効値の範囲を外れているものが、少なくとも一つあると判定すると（ステップＳ１２：Ｎｏ）、電圧端子３ａ〜３ｄのいずれかの接続が誤っていることから、ステップＳ１５へ移行する。
【００７４】
この電圧端子検証処理によって検出可能な電圧端子３ａ〜３ｄの誤接続を、図７を参照して説明する。なお、図７に示すＮｏ．２０２〜２１５は、電圧端子３ａ〜３ｄの接続が誤っていることを示しており、Ｎｏ．２０１は、電圧端子３ａ〜３ｄの接続が正しいことを示している。
【００７５】
また、図７では、三相４線式電源を４１５ボルト（線間電圧）とし、許容電圧記憶部１２７に記憶された相毎の許容実効値を、「２４０ボルト（４１５ボルト×１／√３）±２０％」とし、設定相順記憶部１２８に記憶された相順を、「相電圧Ｖａ→相電圧Ｖｂ→相電圧Ｖｃの順」として説明する。
【００７６】
Ｎｏ．２０１については、電圧端子３ａ〜３ｄを電力線２ａ〜２ｄに正しく接続していることから、算出電圧記憶部１２１に記憶された相電圧Ｖａ〜Ｖｃの実効値は、正しい配線時の実効値２４０ボルト（４１５ボルト×１／√３）と測定される。よって、演算制御部１０（電圧検証部１０１）は、ステップＳ１２で、各実効値は許容範囲内である、即ち、Ｙｅｓと判定する。また、電圧端子３ａ〜３ｄの接続が正しいことから、相順記憶部１２２に記憶された相順は、相電圧Ｖａ→相電圧Ｖｂ→相電圧Ｖｃとなる。よって、演算制御部１０（電圧検証部１０１）は、ステップＳ１４で、相順は設定通りである、即ち、Ｙｅｓと判定し、ステップＳ５へ移行する。
【００７７】
Ｎｏ．２０２〜２１２に示す誤接続は、電圧端子３ａ〜３ｄを電力線２ａ〜２ｄに誤って配線した場合（誤配線した場合）を示している。
【００７８】
例えば、Ｎｏ．２０７の誤配線については、電圧端子３ｄを、Ｌ１電力線２ａに接続し、電圧端子３ａと電圧端子３ｂとをそれぞれ、Ｌ２電力線２ｂとＬ３電力線２ｃとに接続していることから、算出電圧記憶部１２１に記憶された相電圧Ｖａ，Ｖｂの実効値は、正しい接続時の実効値２４０ボルトではなく、線間電圧４１５ボルトとなる。よって、演算制御部１０（電圧検証部１０１）は、ステップＳ１２で、各実効値は許容範囲外である、即ち、Ｎｏと判定し、ステップＳ１５へ移行する。これは、Ｎｏ．２０８〜２１２の誤配線についても同様である。
【００７９】
また、例えば、Ｎｏ．２０２の誤配線については、算出電圧記憶部１２１に記憶された相電圧Ｖａ〜Ｖｃの実効値は、許容実効電圧内の２４０ボルトとなる。よって、演算制御部１０（電圧検証部１０１）は、ステップＳ１２で、各実効値は許容範囲内である、即ち、Ｙｅｓと判定する。しかし、Ｎｏ．２０２は、電圧端子３ｂをＬ３電力線２ｃに接続し、電圧端子３ｃをＬ２電力線２ｂに接続していることから、相順記憶部１２２に記憶された相順が、相電圧Ｖａ→相電圧Ｖｃ→相電圧Ｖｂとなる（ベクトル図参照）。よって、演算制御部１０（電圧検証部１０１）は、ステップＳ１４で、相順は設定通りでない、即ち、Ｎｏと判定し、ステップＳ１５へ移行する。これは、Ｎｏ．２０３および２０６の誤配線についても同様である。
【００８０】
なお、Ｎｏ．２０４および２０５の誤配線については、電圧端子３ａ〜３ｃの接続が一つずつずれているだけで、相順が設定通りとなっていることから、ステップＳ１２およびステップＳ１４共に、Ｙｅｓと判定され、電圧端子検証処理（ステップＳ４）では検出できないが、これは、後述するカレントトランス検証処理（ステップＳ５）で誤接続が検証される。
【００８１】
また、Ｎｏ．２１３〜２１５に示す誤接続は、電圧端子３ａ〜３ｃの電力線２ａ〜２ｃへの接続が行われていない場合（欠相の場合）を示している。例えば、Ｎｏ．２１３の欠相については、電圧端子３ａをＬ１電力線２ａに接続していないことから、算出電圧記憶部１２１に記憶された相電圧Ｖａの実効値は、ゼロボルトとなる（ベクトル図参照）。よって、演算制御部１０（電圧検証部１０１）は、ステップＳ１２で、各実効値は許容範囲を外れている、即ち、Ｎｏと判定し、ステップＳ１５へ移行する。これは、Ｎｏ．２１４，２１５の欠相についても同様である。
【００８２】
図４に戻る。演算制御部１０は、ステップＳ９の電圧端子検証処理が終了すると、ステップＳ１０のカレントトランス検証処理を実行する。
【００８３】
ステップＳ１０で実行されるカレントトランス検証処理を、図６を参照して説明する。なお、カレントトランス検証処理は、カレントトランス４ａ〜４ｃが正しく配置されているかを検証すると共に、図７のＮｏ．２０４および２０５の誤配線を検出する処理である。
【００８４】
カレントトランス検証処理では、演算制御部１０（電流検証部１０２）は、算出位相差記憶部１２３に記憶された相電圧Ｖａ〜Ｖｃと相電流Ｉａ〜Ｉｃとの位相差を、相毎に読み出す（ステップＳ２１）。そして、演算制御部１０（電流検証部１０２）は、読み出した相毎の位相差が、全ての相で、許容位相差記憶部１２８に相毎に記憶された許容位相差の範囲内であるか否かを判定する（ステップＳ２２）。
【００８５】
演算制御部１０（電流検証部１０２）は、相毎の位相差が、全ての相で、許容位相差の範囲内であると判定すると（ステップＳ２２：Ｙｅｓ）、各相の位相差は問題ないことから、ステップＳ２３へ移行する。
【００８６】
ステップＳ２３では、演算制御部１０（電流検証部１０２）は、算出電力記憶部１２４に記憶された相毎の相電力Ｐａ〜Ｐｃを読み出し（ステップＳ２３）、少なくとも一つの相で、相電力がゼロの相があるかを判定する（ステップＳ２４）。
【００８７】
演算制御部１０（電流検証部１０２）は、相電力がゼロの相はないと判定すると（ステップＳ２４：Ｎｏ）、位相関係を検証するステップＳ２５へ移行する。一方、演算制御部１０（電流検証部１０２）は、相電力がゼロの相が一つでもあると判定すると（ステップＳ２４：Ｙｅｓ）、ステップＳ２８へ移行する。
【００８８】
一方、ステップＳ２２で、演算制御部１０（電流検証部１０２）は、ステップＳ２１で読み出した相毎の位相差のうち、少なくとも一つが、許容位相差記憶部１２８に記憶された許容位相差の範囲から外れていると判定すると（ステップＳ２２：Ｎｏ）、ステップＳ２８へ移行する。
【００８９】
ここまでの処理によって検出可能なカレントトランス４ａ〜４ｃの誤配置を、図８を参照して説明する。なお、図８では、次の条件であるとして説明を行う。
【００９０】
電圧端子３ａ〜３ｄはそれぞれ、電力線２ａ〜２ｄに正しく接続されている。また、三相４線式電源に接続される負荷の力率が、通常、０．５〜１．０であることから、これを反映して、負荷の力率は、１．０とする。また、上述の通り、負荷の力率は、通常、０．５〜１．０であることから、相電圧Ｖａ〜Ｖｃと相電流Ｉａ〜Ｉｃとの各相における位相差は、０度以上６０度未満となる。よって、設定位相差記憶部１２８に記憶された許容位相差も、０度以上６０度未満とする。最後に、三相４線式電源に接続される負荷の誘導性あるいは容量性等により発生する位相関係、即ち、設定位相関係記憶部１２９に記憶される位相関係（相電流Ｉａ〜Ｉｃが相電圧Ｖａ〜Ｖｃに対して、進み位相か、遅れ位相か、同相か）は、負荷の力率を１．０としていることから、同相とする。
【００９１】
Ｎｏ．３０２〜３１２は、カレントトランス４ａ〜４ｃの誤った配置を示しており、Ｎｏ．３０１は、カレントトランス４ａ〜４ｃの正しい配置を示している。
【００９２】
Ｎｏ．３０１については、カレントトランス４ａ〜４ｃを電力線２ａ〜２ｃに正しく配置していることから、負荷の力率が１．０の場合、相電圧Ｖａ〜Ｖｃと相電流Ｉａ〜Ｉｃの位相差はゼロとなる。よって、演算制御部１０（電流検証部１０２）は、ステップＳ２２で、位相差が許容範囲内である、即ち、Ｙｅｓと判定する。また、算出電力記憶部１２４に記憶された相電力Ｐａ〜Ｐｃも、何れの相においても、ゼロにならない。よって、演算制御部１０（電流検証部１０２）は、ステップＳ２４で、相電力がゼロの相はない、即ち、Ｎｏと判定する。なお、負荷の力率が０．５の場合について検討すると、この場合には、相電圧Ｖａ〜Ｖｃと相電流Ｉａ〜Ｉｃの位相差は６０度未満となるので、演算制御部１０（電流検証部１０２）は、先と同様、ステップＳ２２でＹｅｓと判定し、ステップＳ２４でＮｏと判定する。
【００９３】
Ｎｏ．３０２〜３０６に示す誤接続は、カレントトランス４ａ〜４ｃを電力線２ａ〜２ｃに誤って配置した場合（誤配置した場合）を示している。例えば、Ｎｏ．３０２の誤配置については、カレントトランス４ｃをＬ２電力線２ｂに配置し、カレントトランス４ｂをＬ３電力線２ｃに配置していることから、負荷の力率が１．０の場合、相電圧Ｖａおよび相電流Ｉａの位相差はないものの、相電圧Ｖｂおよび相電流Ｉｂの位相差と相電圧Ｖｃおよび相電流Ｉｃの位相差とが、１２０度となる（電圧および電流のベクトル図参照）。よって、演算制御部１０（電流検証部１０２）は、ステップＳ２２で、位相差が許容範囲を外れている、即ち、Ｎｏと判定し、ステップＳ２８へ移行する。なお、負荷の力率が０．５の場合について検討すると、この場合には、相電圧Ｖａおよび相電流Ｉａの位相差と相電圧Ｖｂおよび相電流Ｉｂの位相差とは、６０度未満となるものの、相電圧Ｖｃおよび相電流Ｉｃの位相差とは、１８０度となり、演算制御部１０（電流検証部１０２）は、先と同様、ステップＳ２２で、位相差が許容範囲を外れている、即ち、Ｎｏと判定する。これは、Ｎｏ．３０３〜３０６の誤配置についても同様である。
【００９４】
Ｎｏ．３０７〜３０９に示す誤接続は、カレントトランス４ａ〜４ｃの電流変成器の一次導体の向きを、相電流Ｉａ〜Ｉｃの流れる向きに対して逆向きに配置した場合（逆付けの場合）を示している。例えば、Ｎｏ．３０７の逆付けについては、カレントトランス４ａを相電流Ｉａの向きに対して逆向きに配置していることから、負荷の力率が１．０の場合、相電圧Ｖｂおよび相電流Ｉｂの位相差と相電圧Ｖｃおよび相電流Ｉｃの位相差とは、６０度未満となるものの、相電圧Ｖａと相電流Ｉａとの位相差は、１８０度となる（電圧および電流のベクトル図参照）。よって、演算制御部１０（電流検証部１０２）は、ステップＳ２２で、位相差が許容範囲を外れている、即ち、Ｎｏと判定し、ステップＳ２８へ移行する。なお、負荷の力率が０．５の場合について検討すると、この場合には、相電圧Ｖｂおよび相電流Ｉｂの位相差と相電圧Ｖｃおよび相電流Ｉｃの位相差とは、６０度未満となるものの、相電圧Ｖａと相電流Ｉａとの位相差は、１２０度となり、演算制御部１０（電流検証部１０２）は、先と同様、ステップＳ２２で、位相差が許容範囲を外れている、即ち、Ｎｏと判定する。これは、Ｎｏ．３０８，３０９の逆付けについても同様である。
【００９５】
Ｎｏ．３１０〜３１２に示す誤接続は、カレントトランス４ａ〜４ｃの電力線２ａ〜２ｃへの配置が行われていない場合（欠相の場合）を示している。例えば、Ｎｏ．３１０の欠相については、カレントトランス４ａをＬ１電力線２ａに配置していないことから、算出電力記憶部１２４に記憶された相電力Ｐａは、ゼロとなる（電流のベクトル図参照）。よって、演算制御部１０（電流検証部１０２）は、ステップＳ２４で、少なくとも一つの相で、相電力がゼロの相がある、即ち、Ｎｏと判定し、ステップＳ２８へ移行する。これは、Ｎｏ．３１１，３１２の欠相についても同様である。
【００９６】
なお、ステップＳ４の電圧端子検証処理で、電圧端子が誤接続であることが演算制御部１０で検出されなかった２つのパターン（図７のＮｏ．２０４，２０５）についても、演算制御部１０は、ステップＳ２２で、誤接続を検出する。
【００９７】
この図７のＮｏ．２０４，２０５の誤接続の検出について、図９のＮｏ．３１３〜３２１を参照して説明する。なお、図９では、電圧端子３ａ〜３ｄの接続が、Ｎｏ．３１３〜３２１の場合は、図７のＮｏ．２０４に示す誤った接続とする（Ｎｏ．３０１の場合は、電圧端子３ａ〜３ｄの接続が、正しい接続、即ち、図７のＮｏ．２０１の接続とする）。また、負荷の力率は、１．０とする。また、設定位相差記憶部１２８に記憶された許容位相差は、０度以上６０度未満とする。最後に、三相４線式電源に接続される負荷の誘導性あるいは容量性等により発生する位相関係、即ち、設定位相関係記憶部１２９に記憶される位相関係（相電流Ｉａ〜Ｉｃが相電圧Ｖａ〜Ｖｃに対して、進み位相か、遅れ位相か、同相か）は、負荷の力率が１．０であることから、同相とする。
【００９８】
Ｎｏ．３１３は、カレントトランス４ａ〜４ｃの正しい配置を示し、Ｎｏ．３１５〜３１８は、カレントトランス４ａ〜４ｃの誤った配置を示している。また、Ｎｏ．３１９〜３２１は、カレントトランス４ａ〜４ｃの逆付けを示している。
【００９９】
Ｎｏ．３１３の場合、カレントトランス４ａ〜４ｃは正しく配置されているものの、電圧端子３ａ〜３ｃの接続が誤っているため、負荷の力率が１．０の場合、相電圧Ｖａ〜Ｖｃと相電流Ｉａ〜Ｉｃとの位相差が全ての相で１２０度となる（電圧および電流のベクトル図参照）。よって、演算制御部１０（電流検証部１０２）は、ステップＳ２２で、位相差が許容範囲を外れている、即ち、Ｎｏと判定し、ステップＳ２８へ移行する。なお、負荷の力率が０．５の場合について検討すると、この場合には、相電圧Ｖａ〜Ｖｃと相電流Ｉａ〜Ｉｃとの位相差が全ての相で１８０度となり、演算制御部１０（電流検証部１０２）は、先と同様、ステップＳ２２で、位相差が許容範囲を外れている、即ち、Ｎｏと判定する。
【０１００】
また、Ｎｏ．３１４の場合、カレントトランス４ａ〜４ｃの配置および電圧端子３ａ〜３ｃの接続が誤っているため、負荷の力率が１．０の場合、相電圧Ｖｃおよび相電流Ｉｃの位相差は同相となるものの、相電圧Ｖａおよび相電流Ｉａの位相差と相電圧Ｖｂおよび相電流Ｉｂの位相差とは、１２０度となる。（電圧および電流のベクトル図参照）。よって、演算制御部１０（電流検証部１０２）は、ステップＳ２２で、位相差が許容範囲を外れている、即ち、Ｎｏと判定し、ステップＳ２８へ移行する。なお、負荷の力率が０．５の場合について検討すると、この場合には、相電圧Ｖａおよび相電流Ｉａの位相差と相電圧Ｖｃおよび相電流Ｉｃの位相差とは、６０度未満となるものの、相電圧Ｖｂと相電流Ｉｂとの位相差が１８０度となり、演算制御部１０（電流検証部１０２）は、先と同様、ステップＳ２２で、位相差が許容範囲を外れている、即ち、Ｎｏと判定する。これは、Ｎｏ．３１５，３１７，３１８の誤配置の場合も同様である。
【０１０１】
ここで、Ｎｏ．３１６については、誤接続として検出されない。しかし、カレントトランス４ａは、電圧端子３ａと同じ電力線であるＬ３電力線２ｃに配置され、カレントトランス４ｂは、電圧端子３ｂと同じ電力線であるＬ１電力線２ａに配置され、カレントトランス４ｃは、電圧端子３ｃと同じ電力線であるＬ２電力線２ｂに配置されている。つまり、接続先および配置先は誤っているものの、電圧端子とカレントトランスとの組み合わせは正しい。よって、電力計測装置１で計測される相電力Ｐａ〜Ｐｃは、正しい電力値となる。従って、Ｎｏ．３１６については、検出できなくても問題とはならない。
【０１０２】
なお、図７に示すＮｏ．２０５に対するカレントトランス検証処理による誤接続の検出については、Ｎｏ．３１７の場合、即ち、カレントトランス４ｃをＬ１電力線２ａに配置し、カレントトランス４ａをＬ２電力線２ｂに配置し、カレントトランス４ｂをＬ３電力線２ｃに配置した場合、Ｎｏ．２０４の場合と異なり、電力計測装置１で計測される相電力Ｐａ〜Ｐｃが正しい電力値になるとして、本実施形態の接続検出処理では検出されない（一方、Ｎｏ．２０５の場合には、Ｎｏ．２０４の場合と異なり、Ｎｏ．３１６は誤接続として検出される）。その他のＮｏ．３１３〜Ｎｏ．３１５，Ｎｏ．３１８については、Ｎｏ．２０５の検出結果は、Ｎｏ．２０４の検出結果と同様の結果となる。
【０１０３】
また、図９に示すＮｏ．３１９については、カレントトランス４ａの電流変成器の一次導体が逆付けであるため、負荷の力率が１．０の場合、相電圧Ｖａおよび相電流Ｉａの位相差は、６０度未満となるものの、相電圧Ｖｂおよび相電流Ｉｂの位相差と相電圧Ｖｃおよび相電流Ｉｃの位相差とは、１２０度となる。（電圧および電流のベクトル図参照）。よって、演算制御部１０（電流検証部１０２）は、ステップＳ２２で、位相差が許容範囲外である、即ち、Ｎｏと判定し、ステップＳ２８へ移行する。なお、負荷の力率が０．５の場合について検討すると、この場合には、相電圧Ｖｂおよび相電流Ｉｂの位相差および相電圧Ｖｃおよび相電流Ｉｃの位相差は６０度未満となるものの、相電圧Ｖａおよび相電流Ｉａの位相差が１２０度となり、演算制御部１０（電流検証部１０２）は、先と同様、ステップＳ２２で、位相差が許容範囲外である、即ち、Ｎｏと判定する。
【０１０４】
また、Ｎｏ．３２０については、カレントトランス４ａ，４ｂの電流変成器の一次導体が逆付けであるため、負荷の力率が１．０の場合、相電圧Ｖａおよび相電流Ｉａの位相差と相電圧Ｖｂおよび相電流Ｉｂの位相差が６０度未満となるものの、相電圧Ｖｃおよび相電流Ｉｃの位相差が１２０度となるので、演算制御部１０（電流検証部１０２）は、ステップＳ２２で、位相差が許容範囲外である、即ち、Ｎｏと判定する。なお、負荷の力率が０．５の場合について検討すると、この場合には、相電圧Ｖｃおよび相電流Ｉｃの位相は６０度未満となるものの、相電圧Ｖａおよび相電流Ｉａの位相差と相電圧Ｖｂおよび相電流Ｉｂの位相差が１２０度となるので、演算制御部１０（電流検証部１０２）は、先と同様、ステップＳ２２で、位相差が許容範囲外である、即ち、Ｎｏと判定する。
【０１０５】
このように、カレントトランス検証処理では、図７のＮｏ．２０４，２０５に示す、電圧端子３ａ〜３ｃの誤接続を検出することができる。具体的には、図７のＮｏ．２０４に示す電圧端子３ａ〜３ｃの誤接続の場合には、Ｎｏ．３１３〜３１５，Ｎｏ．３１７〜３２０の誤接続（Ｎｏ．３１６は正しい電力値となるので除く）を検出することができる。また、図７のＮｏ．２０５に示す電圧端子３ａ〜３ｃの誤接続の場合には、Ｎｏ．３１３〜３１６，Ｎｏ．３１８〜３２０の誤接続（Ｎｏ．３１７は正しい電力値となるので除く）を検出することができる。
【０１０６】
ただし、Ｎｏ．３２１については、負荷の力率が１．０の場合、全相の位相差が６０度となり、負荷の力率が０．５の場合、全相の位相差が０度となるので、ステップＳ２２およびステップＳ２４では、カレントトランス４ａ〜４ｃの電流変成器の一次導体の逆付けを検出できない。これについては、図６で後述するステップＳ２５以降で検出可能である。
【０１０７】
図６に戻る。ステップＳ２４で演算制御部１０（電流検証部１０２）は、相電力がゼロの相はないと判定すると（ステップＳ２４：Ｎｏ）、ステップＳ２５へ移行する。
【０１０８】
ステップＳ２５で、演算制御部１０（位相関係検証部１０３）は、位相関係記憶部１２５に記憶された相毎の位相関係、即ち、電流Ｉａ〜Ｉｃの相電圧Ｖａ〜Ｖｃ対する相毎の位相関係を読み出す（ステップＳ２５）。そして、演算制御部１０は、ステップＳ２５で読み出した位相関係は、設定位相関係記憶部１２９に記憶された位相関係と同一であるか否かを判定する（ステップＳ２６）。
【０１０９】
演算制御部１０（位相関係検証部１０３）は、読み出した位相関係は、記憶された位相関係と同一であると判定すると（ステップＳ２６：Ｙｅｓ）、電圧端子３ａ〜３ｄおよびカレントトランス４ａ〜４ｃの配置は正しいことから、ステップＳ２７へ移行する。
【０１１０】
ステップＳ２７で、演算制御部１０は、算出電力記憶部１２４に記憶された相電力Ｐａ〜Ｐｃを報知部１１に表示して（ステップＳ２７）、この接続検出処理を終了する。
【０１１１】
なお、ステップＳ２７へ移行する場合、即ち、ステップＳ２６において、読み出した位相関係が設定位相関係記憶部１２９に記憶された位相関係と同一であると判定される場合は、図９に示すＮｏ．３０１，Ｎｏ．３１６となる。
【０１１２】
具体的には、ステップＳ２７へ移行する場合は、図９に示すＮｏ．３０１，Ｎｏ．３１６のベクトル図から明らかなように、１．算出電圧記憶部１２１に記憶された相電圧Ｖａ〜Ｖｃの実効値が許容電圧記憶部１２６に記憶された許容実効電圧内である、２．相順記憶部１２２に記憶された相順が設定相順記憶部１２７に記憶された相順通りである、３．算出位相差記憶部１２３に記憶された相電圧Ｖａ〜Ｖｃと相電流Ｉａ〜Ｉｃとの位相差が設定位相差記憶部１２８に記憶された許容位相差の範囲内である、４．相電力Ｐａ〜Ｐｃがゼロでない、５．位相関係記憶部１２５に記憶された位相関係が設定位相関係記憶部１２９に記憶される位相関係と同一である場合、即ち、電圧端子３ａ〜３ｄおよびカレントトランス４ａ〜４ｃの配置が正しい場合である。
【０１１３】
なお、ステップＳ２６で、演算制御部１０（位相関係検証部１０３）は、ステップＳ２５で読み出した相毎の位相関係は、設定位相関係記憶部１２９に記憶された相毎の位相関係と同一でないと判定すると（ステップＳ２６：Ｎｏ）、カレントトランス４ａ〜４ｃの電流変成器の一次導体の全てが逆付けである（図９のＮｏ．３２１参照）と判定する。
【０１１４】
ここで、図９に示すＮｏ．３２１では、位相関係記憶部１２５から読み出された相電流Ｉａ〜Ｉｃの相電圧Ｖａ〜Ｖｃに対する位相関係は、進み位相となっている（電圧および電流のベクトル図参照）。よって、演算制御部１０（位相関係検証部１０３）は、設定位相関係記憶部１２９に記憶された位相関係（ここでは、同相の位相関係が記憶）とは異なると判定する（ステップＳ２６：Ｎｏ）。このように、演算制御部１０（位相関係検証部１０３）は、位相関係が、求めたものと、設定（記憶）したものとで異なるか否かを判定することで、カレントトランス４ａ〜４ｃの電流変成器の一次導体の全てが逆付けであるか否かを判定できる。
【０１１５】
カレントトランス４ａ〜４ｃの電流変成器の一次導体の全てが逆付けであることを判定できるのは、演算制御部１０（位相関係検証部１０３）により、ステップＳ２６で、位相関係が異なると判定される状態（ステップＳ２６：Ｎｏ）は、電圧端子３ａ〜３ｄの接続が正しく、カレントトランス４ａ〜４ｃの電流変成器の一次導体の全てが逆付けである場合に発生する特有の状態だからである。
【０１１６】
演算制御部１０は、ステップＳ２６でＮｏと判定すると、ステップＳ２８を実行する。具体的には、演算制御部１０は、カレントトランス４ａ〜４ｃの配置、或いは、電圧端子３ａ〜３ｄの接続が誤っていることを伝えるメッセージを報知部１１に表示することで報知して、この接続検出処理を終了する。なお、演算制御部１０は、ステップＳ２８で、電圧端子３ａ〜３ｄの接続が誤っていることを伝えるメッセージを表示するのは、ステップＳ２２で、図７のＮｏ．２０４，２０５に示す、電圧端子３ａ〜３ｃの誤接続を検出する場合があることによる。
【０１１７】
上述した通り、電力計測装置１によれば、三相４線電源に接続される負荷が誘導性であるか、容量性であるか、何れでもないか、言い換えれば、相電流Ｉａ〜Ｉｃが相電圧Ｖａ〜Ｖｃに対して、遅れ位相であるか、進み位相であるか、同相であるか、を設定位相関係記憶部１２９に記憶して、この記憶した位相関係と求めた位相関係とが一致するかを判定する。よって、従来検証ができなかった誤接続を、具体的には、電圧端子３ａ〜３ｄの接続が正しい状態でのカレントトランス４ａ〜４ｃの電流変成器の一次導体の全ての逆付けを、誤配置として検出することができる。従って、電力計測装置１では、電圧端子３ａ〜３ｄの誤接続およびカレントトランス４ａ〜４ｃの誤配置を、従来と比較して、高い精度で検出することができる。
【０１１８】
以上、本発明の実施形態を説明したが、この発明は上記の実施形態に限定されず、種々の変形および応用が可能である。
【０１１９】
例えば、上述した実施形態では、電圧端子３ａ〜３ｄの誤接続を、相電圧Ｖａ〜Ｖｃの実効値が許容実効電圧内であるか（ステップＳ１２参照）を用いて判定したが、これに限られるものではない。即ち、相電圧Ｖａ〜Ｖｃの実効値が許容実効電圧内であるかの判定に代えて、相電圧Ｖａと相電圧Ｖｂとの位相差，相電圧Ｖｂと相電圧Ｖｃとの位相差、相電圧Ｖｃと相電圧Ｖａとの位相差が、全て、均等と見なせる範囲内になっているか否かを、演算制御部１０が判定することで、電圧端子３ａ〜３ｄの誤接続を検出しても良い。この判定の場合も、図７のＮｏ．２０７〜２１５の場合は、全ての位相差が、均等と見なせる範囲内にならないので（ベクトル図参照）、演算制御部１０は、電圧端子３ａ〜３ｄの誤接続を検出できる。
【０１２０】
また、上述した実施形態では、演算制御部１０は、ＲＡＭ（不図示）に記憶された情報、即ち、コンパレータ８ａの出力電圧と時刻とが対応付けられた情報およびコンパレータ８ｂの出力電圧と時刻とが対応付けられた情報から、相電圧Ｖａ，Ｖｂ，Ｖｃの相順を求め、相電流Ｉａ〜Ｉｃと相電圧Ｖａ〜Ｖｃとの位相差を算出し、相電流Ｉａ〜Ｉｃの相電圧Ｖａ〜Ｖｃに対する位相関係を求めたが、これに限られるものではない。即ち、演算制御部１０は、Ａ／Ｄ変換部９から出力される分圧電圧Ｖａｄ〜Ｖｃｄ（相電圧Ｖａ〜Ｖｃに対応）および変換電圧Ｖｉａ〜Ｖｉｃ（相電流Ｉａ〜Ｉｃに対応）を用いて、相順、位相差、および位相関係を求めてもよい。
【０１２１】
具体的には、演算制御部１０は、まず、Ａ／Ｄ変換部９から出力される分圧電圧Ｖａｄ〜Ｖｃｄおよび変換電圧Ｖｉａ〜Ｖｉｃを、ＲＡＭ（不図示）に時刻と対応付けて記憶し、各電圧の最大値（或いは最小値）における時刻を求める。その後、演算制御部１０は、分圧電圧Ｖａｄ〜Ｖｃｄが最大値（或いは最小値）になる順を時刻により求めることで、相電圧Ｖａ，Ｖｂ，Ｖｃの相順を求める。また、演算制御部１０は、分圧電圧Ｖａｄ〜Ｖｃｄと変換電圧Ｖｉａ〜Ｖｉｃとの相毎の最大値（或いは最小値）の時間差から、相電流Ｉａ〜Ｉｃと相電圧Ｖａ〜Ｖｃとの位相差（０度〜１８０度）を算出する。また、演算制御部１０は、分圧電圧Ｖａｄ〜Ｖｃｄおよび変換電圧Ｖｉａ〜Ｖｉｃの最大値（或いは最小値）を求めた時刻により、相電流Ｉａ〜Ｉｃが、相電圧Ｖａ〜Ｖｃに対して、進み位相か、遅れ位相か、同相かを、相毎に求める。このように構成することで、コンパレータ８ａ，８ｂを不要とすることができる。
【０１２２】
また、上述した実施形態では、電力計測装置１が計測する交流電力の供給元を（本発明の適用対象を）、三相４線式電源としたが、これに限られるものではない。即ち、電力計測装置１が計測する交流電力の供給元を（本発明の適用対象を）、三相３線式電源としてもよい。三相３線式電源の場合、Ｎ電力線２ｄがなくなるので、電力計測装置１の電圧端子３ｄは不要となる。また、電力計測装置１の電圧部６の入力端子も３つとなり、この３つの入力端子を、電圧端子３ａ〜３ｃを介して、それぞれ、Ｌ１〜Ｌ３電力線２ａ〜２ｃに接続する構成とする。そして、電力計測装置１の電源部５の２つの入力端子の一方を、電圧端子３ａに接続し、他方の入力端子を、電圧端子３ｂか電圧端子３ｃのいずれかに接続する構成とすればよい。この構成とすることで、電力計測装置１は、三相３線式電源から供給される交流電力を計測することができる。
【０１２３】
なお、上記実施形態において、演算制御部１０で実行されるプログラムは、フレキシブルディスク、ＣＤ−ＲＯＭ（Compact Disc Read−Only Memory）、ＤＶＤ（Digital Versatile Disc）、ＭＯ（Magneto−Optical Disc）等のコンピュータが読み取り可能な記録媒体に格納して配布し、そのプログラムを、コンピュータ等にインストールすることにより、図３〜図６に示す処理を実行する電力計測装置を構成することとしてもよい。
【０１２４】
また、上述のプログラムをインターネット等の通信ネットワーク上の所定のサーバ装置が有するディスク装置等に格納しておき、例えば、搬送波に重畳させて、ダウンロード等するようにしてもよい。
【０１２５】
また、上述の図３〜図６に示す処理を、各ＯＳ（Operating System）が分担して実現する場合、又は、ＯＳとアプリケーションとの協働により実現する場合等には、ＯＳ以外の部分のみを媒体に格納して配布してもよく、また、ダウンロード等してもよい。
【０１２６】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内およびそれと同等の発明の意義の範囲内で施される様々な変形が、本発明の範囲内とみなされる。
【産業上の利用可能性】
【０１２７】
本発明は、高い誤り検出精度の実現に好適である。
【符号の説明】
【０１２８】
１              電力計測装置
２ａ〜２ｄ      電力線
３ａ〜３ｄ      電圧端子
４ａ〜４ｃ      カレントトランス
５              電源部
６              電圧部
７              電流部
８ａ，８ｂ      コンパレータ
９              Ａ／Ｄ変換部
１０            演算制御部
１１            報知部
１２            記憶部
１３            操作部
【図１】
2013061475.tif 000003
【図２】
2013061475.tif 000004
【図３】
2013061475.tif 000005
【図４】
2013061475.tif 000006
【図５】
2013061475.tif 000007
【図６】
2013061475.tif 000008
【図７】
2013061475.tif 000009
【図８】
2013061475.tif 000010
【図９】
2013061475.tif 000011
【手続補正書】
【提出日】平成26年2月21日(2014.2.21)
【手続補正１】
【補正対象書類名】明細書
【補正対象項目名】０００９
【補正方法】変更
【補正の内容】
【０００９】
上記目的を達成するために、本発明に係る判定装置の電圧部は、三相交流電源から供給された交流電力を送電する電力線に接続される端子を介して、電力線に印加される相毎の交流電圧を測定する。電流部は、電力線の外周に配置される電流変成器により、電力線を流れる相毎の交流電流を測定する。位相関係検証部は、電流部により測定された交流電流および電圧部により測定された交流電圧から、交流電流の交流電圧に対する位相の関係を相毎に求め、相毎に求めた位相の関係が予め設定された関係と一致しなければ、端子の接続または電流変成器の配置が誤りであることを示す不適合の判定を行う。
【手続補正２】
【補正対象書類名】明細書
【補正対象項目名】００１０
【補正方法】変更
【補正の内容】
【００１０】
本発明によれば、交流電流の交流電圧に対する位相の関係を求め、求めた位相の関係が予め設定された関係と一致しなければ、端子の接続または電流変成器の配置が誤りであることを示す不適合の判定を行うので、従来と比較して、高い誤り検出精度を実現することができる。
【手続補正３】
【補正対象書類名】特許請求の範囲
【補正対象項目名】全文
【補正方法】変更
【補正の内容】
【特許請求の範囲】
【請求項１】
三相交流電源から供給された交流電力を送電する電力線に接続される端子を介して、前記電力線に印加される相毎の交流電圧を測定する電圧部と、
前記電力線の外周に配置される電流変成器により、前記電力線を流れる前記相毎の交流電流を測定する電流部と、
前記電流部により測定された前記交流電流および前記電圧部により測定された前記交流電圧から、前記交流電流の前記交流電圧に対する位相の関係を前記相毎に求め、前記相毎に求めた前記位相の関係が予め設定された関係と一致しなければ、前記端子の接続または前記電流変成器の配置が誤りであることを示す不適合の判定を行う位相関係検証部と、
を備えている判定装置。
【請求項２】
前記交流電流の前記交流電圧に対する前記位相の関係を、前記予め設定された関係として記憶する位相関係記憶部を備え、
前記位相関係検証部は、
前記相毎に求めた前記位相の関係と、前記位相関係記憶部に記憶された前記位相の関係とを比較して、前記求めた前記位相の関係が前記予め設定された関係と一致するかを判定する、
請求項１に記載の判定装置。
【請求項３】
前記位相関係記憶部は、
前記位相の関係として、前記交流電流が前記交流電圧に対して、進み位相であるか、遅れ位相であるか、同相であるかを記憶する、
請求項２に記載の判定装置。
【請求項４】
前記電圧部により測定された前記相毎の前記交流電圧におけるベクトルの関係を求め、前記求めたベクトルの関係が、前記三相交流電源により前記電力線に印加されている交流電圧のベクトルの関係と一致する場合に適合の判定を行う電圧検証部と、
前記電流部により測定された前記相毎の前記交流電流および前記電圧部により測定された前記相毎の前記交流電圧から、前記交流電流と前記交流電圧との前記相毎の位相差を求めると共に、前記相毎の電力を求め、前記相毎の位相差が予め設定された規定範囲内であり、且つ、前記相毎の電力が正数である場合に適合の判定を行う電流検証部と、
前記電圧検証部、前記電流検証部および前記位相関係検証部による判定のうち、少なくとも一つが不適合の判定であれば、前記端子の接続または前記電流変成器の配置が誤りであることを報知する報知部と、
を備えている請求項１から３のいずれか一項に記載の判定装置。
【請求項５】
前記報知部は、
前記電圧検証部、前記電流検証部および前記位相関係検証部による判定が全て、適合の判定である場合に、前記電流検証部により求められた前記相毎の電力を報知する、
請求項４に記載の判定装置。
【請求項６】
前記報知部は、
前記電圧検証部による判定が不適合の判定である場合に、前記端子の接続が誤っていることを報知する、
請求項４または５に記載の判定装置。
【請求項７】
三相交流電源から供給された交流電力を送電する電力線に接続した端子を介して測定された相毎の交流電圧、および前記電力線の外周に配置された電流変成器を介して測定された前記相毎の交流電流から、前記交流電流の前記交流電圧に対する位相の関係を前記相毎に求め、前記相毎に求めた前記位相の関係が予め設定された関係と一致しなければ、前記端子の接続または前記電流変成器の配置が誤りであることを示す不適合の判定を判定装置が行う位相関係検証ステップ、
を含む判定方法。
【請求項８】
コンピュータに、
三相交流電源から供給された交流電力を送電する電力線に接続した端子を介して測定された相毎の交流電圧、および前記電力線の外周に配置された電流変成器を介して測定された前記相毎の交流電流から、前記交流電流の前記交流電圧に対する位相の関係を前記相毎に求め、前記相毎に求めた前記位相の関係が予め設定された関係と一致しなければ、前記端子の接続または前記電流変成器の配置が誤りであることを示す不適合の判定を行う位相関係検証機能、
を実現させるプログラム。
【国際調査報告】
2013061475.tif 000012
2013061475.tif 000013